【手続補正書】
【提出日】平成19年3月15日(2007.3.15)
【手続補正１】
【補正対象書類名】明細書
【補正対象項目名】発明の名称
【補正方法】変更
【補正の内容】
【発明の名称】オーディオ装置及びオーディオデータ受信方法
【手続補正２】
【補正対象書類名】明細書
【補正対象項目名】特許請求の範囲
【補正方法】変更
【補正の内容】
【特許請求の範囲】
【請求項１】
サーバ装置との通信をデジタル無線方式で行う通信手段と、
前記通信手段を介して受信される前記サーバ装置が提供するサービス画面の情報を表示する表示手段と、
前記通信手段を介して前記サーバ装置から受信したオーディオ信号を記録する記録手段と、
前記記録手段から読み出した前記オーディオ信号を再生する再生手段と
を有するオーディオ装置。
【請求項２】
前記再生されたオーディオ信号に応じた出力を行う出力手段をさらに有し、
前記再生手段は、前記記録手段から読み出されたオーディオ信号のステレオ再生が可能であり、
前記出力手段は、前記オーディオ信号に応じたステレオ出力を行う
請求項１に記載のオーディオ装置。
【請求項３】
前記記録手段は、前記オーディオ装置に着脱自在に装着される
請求項１に記載のオーディオ装置。
【請求項４】
前記再生手段は、前記記録手段から読み出した前記オーディオ信号のステレオ再生が可能であり、
前記出力手段は、ステレオ方式のヘッドフォンが接続可能な接続端子に、前記ステレオ再生されたオーディオ信号を出力する
請求項２に記載のオーディオ装置。
【請求項５】
セルラーネットワークの基地局からの通信信号を受信するとともに、前記通信手段からの通信信号を前記基地局に送信するアンテナを更に有する
請求項１に記載のオーディオ装置。
【請求項６】
少なくとも電話番号を入力するための操作部を更に有し、
前記再生手段は、前記操作部の操作に応じて再生処理を実行する
請求項１に記載のオーディオ装置。
【請求項７】
前記操作部は、前記サーバ装置から受信するオーディオ信号を要求するための入力が行われる
請求項６に記載のオーディオ装置。
【請求項８】
サーバ装置との通信とをデジタル無線方式で行う通信手段と、
前記通信手段を介して受信される前記サーバ装置が提供するサービス画面の情報を表示する表示手段と、
前記通信手段を介して前記サーバ装置から受信したストリーミングファイルのオーディオデータを記録する記録手段と、
前記記録手段から読み出したストリーミングファイルのオーディオデータを復元し、オーディオ信号を再生する再生手段と
を有するオーディオ装置。
【請求項９】
少なくとも電話番号を入力するための操作部を更に備え、
前記通信手段は、前記操作部からのアクセス指示に基づいて前記サーバ装置へのアクセスを実行する
請求項８に記載のオーディオ装置。
【請求項１０】
サーバ装置との通信をデジタル無線方式で行う通信装置におけるオーディオデータ受信方法であって、
前記前記サーバ装置にアクセスするステップと、
アクセスした前記サーバ装置が提供するサービス画面の情報を受信するステップと、
前記サービス画面の情報を前記通信装置の表示部に表示するステップと、
前記サーバ装置にオーディオデータのダウンロード要求を送信するステップと、
ダウンロードされたオーディオデータを前記通信装置の記憶部に書き込むステップと、
前記記憶部に記憶されたオーディオデータを読み出すステップと、
前記オーディオデータの再生処理を行うステップと
を有するオーディオデータ受信方法。
【請求項１１】
再生処理が行われたオーディオデータをステレオ出力するステップをさらに有する
請求項１０に記載のオーディオデータ受信方法。
【手続補正３】
【補正対象書類名】明細書
【補正対象項目名】０００１
【補正方法】変更
【補正の内容】
【０００１】
【発明の属する技術分野】
本発明は、例えば、通話機能の他に、サーバ装置からのオーディオ信号のダウンロードおよびその再生機能を有するオーディオ装置及びオーディオデータ受信方法に関する。
【手続補正４】
【補正対象書類名】明細書
【補正対象項目名】０００４
【補正方法】変更
【補正の内容】
【０００４】
本発明は上述した従来技術の問題点に鑑みてなされ、電話通話の他に、音楽配信サーバが配信する音楽を携帯用機器で手軽に再生できるオーディオ装置及びオーディオデータ受信方法を提供することを目的とする。
【手続補正５】
【補正対象書類名】明細書
【補正対象項目名】０００５
【補正方法】変更
【補正の内容】
【０００５】
【課題を解決するための手段】
上述した従来技術の問題点を解決し、上述した目的を達成するために、本発明の第１のオーディオ装置は、サーバ装置との通信をデジタル無線方式で行う通信手段と、前記通信手段を介して受信される前記サーバ装置が提供するサービス画面の情報を表示する表示手段と、前記通信手段を介して前記サーバ装置から受信したオーディオ信号を記録する記録手段と、前記記録手段から読み出した前記オーディオ信号を再生する再生手段とを有する。
【手続補正６】
【補正対象書類名】明細書
【補正対象項目名】０００６
【補正方法】変更
【補正の内容】
【０００６】
本発明のオーディオ装置は、好ましくは、前記再生されたオーディオ信号に応じた出力を行う出力手段をさらに有し、前記再生手段は、前記記録手段から読み出されたオーディオ信号のステレオ再生が可能であり、前記出力手段は、前記オーディオ信号に応じたステレオ出力を行う。
【手続補正７】
【補正対象書類名】明細書
【補正対象項目名】０００７
【補正方法】変更
【補正の内容】
【０００７】
また、本発明のオーディオ装置は、好ましくは、前記記録手段は、前記オーディオ装置に着脱自在に装着される。
好適には、前記再生手段は、前記記録手段から読み出した前記オーディオ信号のステレオ再生が可能であり、前記出力手段は、ステレオ方式のヘッドフォンが接続可能な接続端子に、前記ステレオ再生されたオーディオ信号を出力する。
【手続補正８】
【補正対象書類名】明細書
【補正対象項目名】０００８
【補正方法】変更
【補正の内容】
【０００８】
また、本発明のオーディオ装置は、セルラーネットワークの基地局からの通信信号を受信するとともに、前記通信手段からの通信信号を前記基地局に送信するアンテナを更に有する、ものであっても良い。
【手続補正９】
【補正対象書類名】明細書
【補正対象項目名】０００９
【補正方法】変更
【補正の内容】
【０００９】
また、本発明のオーディオ装置は、好ましくは、少なくとも電話番号を入力するための操作部を更に有し、前記再生手段は、前記操作部の操作に応じて再生処理を実行する。
好適には、前記操作部は、前記サーバ装置から受信するオーディオ信号を要求するための入力が行われる。
【手続補正１０】
【補正対象書類名】明細書
【補正対象項目名】００１０
【補正方法】変更
【補正の内容】
【００１０】
また、本発明の第２のオーディオ装置は、サーバ装置との通信をデジタル無線方式で行う通信手段と、前記通信手段を介して受信される前記サーバ装置が提供するサービス画面の情報を表示する表示手段と、前記通信手段を介して前記サーバ装置から受信したストリーミングファイルのオーディオデータを記録する記録手段と、前記記録手段から読み出したストリーミングファイルのオーディオデータを復元し、オーディオ信号を再生する再生手段とを有する。
好適には、少なくとも電話番号を入力するための操作部を更に備え、前記通信手段は、前記操作部からのアクセス指示に基づいて前記サーバ装置へのアクセスを実行する。
【手続補正１１】
【補正対象書類名】明細書
【補正対象項目名】００１１
【補正方法】変更
【補正の内容】
【００１１】
また、本発明のオーディオデータ受信方法は、サーバ装置との通信をデジタル無線方式で行う通信装置におけるオーディオデータ受信方法であって、前記前記サーバ装置にアクセスするステップと、アクセスした前記サーバ装置が提供するサービス画面の情報を受信するステップと、前記サービス画面の情報を前記通信装置の表示部に表示するステップと、前記サーバ装置にオーディオデータのダウンロード要求を送信するステップと、ダウンロードされたオーディオデータを前記通信装置の記憶部に書き込むステップと、前記記憶部に記憶されたオーディオデータを読み出すステップと、前記オーディオデータの再生処理を行うステップとを有する。
好適には、再生処理が行われたオーディオデータをステレオ出力するステップをさらに有する。
【手続補正１２】
【補正対象書類名】明細書
【補正対象項目名】００１２
【補正方法】変更
【補正の内容】
【００１２】
【発明の実施の形態】
以下、本発明のオーディオ装置の実施形態に係わる携帯電話装置について説明する。
図１は、本実施形態の携帯電話装置１の概略外観図である。
図１に示すように、携帯電話装置１は、その外面に、アンテナ２、ステレオヘッドフォン端子３、表示部４、操作部５、ステレオのスピーカ６Ｒ，６Ｌを有する。
また、携帯電話装置１は、例えば、半導体メモリなど記憶部７を着脱可能である。
【手続補正１３】
【補正対象書類名】明細書
【補正対象項目名】００４２
【補正方法】変更
【補正の内容】
【００４２】
【発明の効果】
以上説明したように、本発明のオーディオ装置及びオーディオデータ受信方法によれば、通話の他に、サーバ装置から受信したオーディオ信号の記録、再生および出力が可能である。
また、本発明のオーディオ装置及びオーディオデータ受信方法によれば、オーディオ信号のステレオ再生が可能であることから、オーディオ信号に応じた音楽などを高品質に出力できる。
また、本発明のオーディオ装置によれば、記録手段を着脱自在にしたことで、他のオーディオ装置を用いて記録したオーディオ信号を再生および出力できる。
また、本発明のオーディオ装置によれば、サーバ装置から配信されたストリーミングファイルを受信してストリーミング再生を行うことができる。